【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
複数の上下アーム回路（１０）が並列して電力ライン（１２、１３）に接続されてなる電力変換装置（５）に適用されるパワーモジュールであって、
前記上下アーム回路と、
前記上下アーム回路に並列接続されたコンデンサ（Ｃ１）と、
前記上下アーム回路を構成する上アーム（１０Ｕ）及び前記コンデンサの正極端子を接続する上配線（１１Ｐａ）と、
前記上下アーム回路を構成する下アーム（１０Ｌ）及び前記コンデンサの負極端子を接続する下配線（１１Ｎａ）と、
前記電力ラインに接続される電力配線であって、前記電力ラインのうち高電位側のライン及び前記上配線を接続する上電力配線（１１Ｐ）、及び、前記電力ラインのうち低電位側のライン及び前記下配線を接続する下電力配線（１１Ｎ）と、
前記上アームが有する主端子（７０Ｅ）及び前記下アームが有する主端子（７０Ｃ）を接続する出力配線（１５０）と、
を備え、
前記出力配線は、前記上配線及び前記下配線の少なくとも一方と対向する対向部（１５４ｐ、１５４ｎ）を有するパワーモジュール。
【請求項２】
複数の上下アーム回路（１０）が並列して電力ライン（１２、１３）に接続されてなる電力変換装置（５）に適用されるパワーモジュールであって、
前記上下アーム回路と、
前記上下アーム回路に並列接続されたコンデンサ（Ｃ１）と、
前記上下アーム回路を構成する上アーム（１０Ｕ）及び前記コンデンサの正極端子を接続する上配線（１１Ｐａ）と、
前記上下アーム回路を構成する下アーム（１０Ｌ）及び前記コンデンサの負極端子を接続する下配線（１１Ｎａ）と、
前記電力ラインに接続される電力配線であって、前記電力ラインのうち高電位側のライン及び前記上配線を接続する上電力配線（１１Ｐ）、及び、前記電力ラインのうち低電位側のライン及び前記下配線を接続する下電力配線（１１Ｎ）と、
を備え、
前記上下アーム回路は、半導体装置（２０，２０Ｕ，２０Ｌ）を含んで構成されており、
開口端（１８７ａ，１８７ｂ）を有し、前記半導体装置及び前記コンデンサを収容する筒状のケース（１８７）と、
前記半導体装置（２０，２０Ｕ，２０Ｌ）を冷却する冷却器（１２０）と、
前記半導体装置に駆動信号を出力する駆動基板（１６０）と、
前記開口端のひとつが前記冷却器及び前記駆動基板の少なくとも一方によって閉塞された状態で前記ケース内に充填され、前記半導体装置及び前記コンデンサの少なくとも一部を封止する封止材（１８８）と、
をさらに備えるパワーモジュール。
【請求項３】
複数の上下アーム回路（１０）が並列して電力ライン（１２、１３）に接続されてなる電力変換装置（５）に適用されるパワーモジュールであって、
前記上下アーム回路と、
前記上下アーム回路に並列接続されたコンデンサ（Ｃ１）と、
前記上下アーム回路を構成する上アーム（１０Ｕ）及び前記コンデンサの正極端子を接続する上配線（１１Ｐａ）と、
前記上下アーム回路を構成する下アーム（１０Ｌ）及び前記コンデンサの負極端子を接続する下配線（１１Ｎａ）と、
前記電力ラインに接続される電力配線であって、前記電力ラインのうち高電位側のライン及び前記上配線を接続する上電力配線（１１Ｐ）、及び、前記電力ラインのうち低電位側のライン及び前記下配線を接続する下電力配線（１１Ｎ）と、
を備え、
前記上下アーム回路は、半導体装置（２０，２０Ｕ，２０Ｌ）を含んで構成されており、
前記半導体装置（２０，２０Ｕ，２０Ｌ）に積層され、前記半導体装置を冷却する冷却器（１２０）と、
前記積層の方向に対して直交する一方向に配置され、前記半導体装置に駆動信号を出力する駆動基板（１６０）と、をさらに備え、
前記半導体装置は、前記一方向に延設されて前記駆動基板に接続され、前記駆動信号が入力される信号端子（８０）を有するパワーモジュール。
【請求項４】
複数の上下アーム回路（１０）が並列して電力ライン（１２、１３）に接続されてなる電力変換装置（５）に適用されるパワーモジュールであって、
前記上下アーム回路と、
前記上下アーム回路に並列接続されたコンデンサ（Ｃ１）と、
前記上下アーム回路を構成する上アーム（１０Ｕ）及び前記コンデンサの正極端子を接続する上配線（１１Ｐａ）と、
前記上下アーム回路を構成する下アーム（１０Ｌ）及び前記コンデンサの負極端子を接続する下配線（１１Ｎａ）と、
前記電力ラインに接続される電力配線であって、前記電力ラインのうち高電位側のライン及び前記上配線を接続する上電力配線（１１Ｐ）、及び、前記電力ラインのうち低電位側のライン及び前記下配線を接続する下電力配線（１１Ｎ）と、
を備え、
前記上配線及び前記下配線は、対応する前記電力配線との接続点から前記上下アーム回路の対応するアームまでの第１配線部（１１Ｐｂ，１１Ｎｂ）と、前記接続点から前記コンデンサの対応する端子までの第２配線部（１１Ｐｃ，１１Ｎｃ）と、をそれぞれ有し、
前記上配線及び前記下配線の少なくとも一方において、前記第１配線部の配線抵抗が、前記第２配線部の配線抵抗よりも小さくされているパワーモジュール。
【請求項５】
前記上アームは、前記上配線に接続される主端子（７０Ｃ）を複数有し、
前記下アームは、前記下配線に接続される主端子（７０Ｅ）を複数有する請求項１〜４のいずれか１つに記載のパワーモジュール。
【請求項６】
前記上電力配線及び前記下電力配線は互いに対向配置されている請求項１〜５のいずれか１つに記載のパワーモジュール。
【請求項７】
複数の上下アーム回路（１０）が並列して電力ライン（１２、１３）に接続されてなる電力変換装置（５）に適用されるパワーモジュールであって、
前記上下アーム回路と、
前記上下アーム回路に並列接続されたコンデンサ（Ｃ１）と、
前記上下アーム回路を構成する上アーム（１０Ｕ）及び前記コンデンサの正極端子を接続する上配線（１１Ｐａ）と、
前記上下アーム回路を構成する下アーム（１０Ｌ）及び前記コンデンサの負極端子を接続する下配線（１１Ｎａ）と、
前記電力ラインに接続される電力配線であって、前記電力ラインのうち高電位側のライン及び前記上配線を接続する上電力配線（１１Ｐ）、及び、前記電力ラインのうち低電位側のライン及び前記下配線を接続する下電力配線（１１Ｎ）と、
を備え、
前記上下アーム回路は、半導体装置（２０，２０Ｕ，２０Ｌ）を含んで構成されており、
前記半導体装置に駆動信号を出力する駆動基板（１６０）と、
前記半導体装置の出力端子に接続された出力配線（１５０）と、
前記駆動基板に実装され、前記出力配線に流れる電流を検出する電流センサ（２００）と、をさらに備え、
前記出力配線は、一方向に延設され、前記電流センサにより電流が検出される被検出部（１５５）と、一端が前記被検出部に連なり、前記被検出部とは異なる方向に延設された屈曲部（１５６）と、を有し、
前記屈曲部は、前記一端とは反対の他端側に設けられ、他の部材が接続される端子部（１５６ａ）と、前記端子部から前記被検出部側に延び、前記端子部とともに前記他の部材と対向する対向部（１５６ｂ）と、を有するパワーモジュール。
【請求項８】
前記電力ラインと、
請求項１〜７のいずれか１つに記載の前記パワーモジュールと、
を備え、
前記パワーモジュールが各相それぞれに設けられており、
前記各相のうち第１相に設けられた前記パワーモジュールを第１パワーモジュールとし、
前記各相のうち第２相に設けられた前記パワーモジュールを第２パワーモジュールとし、
前記第１パワーモジュールにおける、前記正極端子から前記上アームまでの電気経路のインピーダンスを相内上インピーダンスとし、
前記第１パワーモジュールに係る前記正極端子から、前記第２パワーモジュールに係る前記上アームまでの電気経路のインピーダンスを相間上インピーダンスとし、
前記相間上インピーダンスが前記相内上インピーダンスより大きい電力変換装置。
【請求項９】
前記電力ラインと、
請求項１〜７のいずれか１つに記載の前記パワーモジュールと、
を備え、
前記パワーモジュールが各相それぞれに設けられており、
前記各相のうち第１相に設けられた前記パワーモジュールを第１パワーモジュールとし、
前記各相のうち第２相に設けられた前記パワーモジュールを第２パワーモジュールとし、
前記第１パワーモジュールにおける、前記負極端子から前記下アームまでの電気経路のインピーダンスを相内下インピーダンスとし、
前記第１パワーモジュールに係る前記負極端子から、前記第２パワーモジュールに係る前記下アームまでの電気経路のインピーダンスを相間下インピーダンスとし、
前記相間下インピーダンスは前記相内下インピーダンスより大きい電力変換装置。
【請求項１０】
前記上下アーム回路に並列に接続され、前記電力ラインの電圧を平滑化する平滑コンデンサ（Ｃ２）を備える請求項８または９に記載の電力変換装置。
【請求項１１】
前記コンデンサの容量は、前記平滑コンデンサの容量より小さい請求項１０に記載の電力変換装置。
【請求項１２】
前記電力ラインと、
請求項７に記載の前記パワーモジュールと、
前記他の部材である導電部材（２４１，２５１）と、
を備え、
前記パワーモジュールが各相それぞれに設けられており、
前記導電部材は、前記出力配線の前記端子部に接続された接続部（２４１ａ，２５１ａ）と、前記接続部から延びる延設部（２４１ｂ，２５１ｂ）と、を有し、
前記接続部、及び、前記延設部において前記接続部から所定範囲の部分が、前記出力配線の前記端子部及び前記対向部に対向配置されている電力変換装置。
【請求項１３】
前記導電部材の前記延設部は、経路の途中で屈曲しており、
前記導電部材において、屈曲部位よりも前記接続部側の前記延設部及び前記接続部の延設長さが、前記出力配線において、前記対向部及び前記端子部の延設長さと、等しくされている請求項１２に記載の電力変換装置。
【手続補正２】
【補正対象書類名】明細書
【補正対象項目名】０００８
【補正方法】変更
【補正の内容】
【０００８】
本開示のひとつであるパワーモジュールは、
複数の上下アーム回路（１０）が並列して電力ライン（１２、１３）に接続されてなる電力変換装置（５）に適用されるパワーモジュールであって、
上下アーム回路と、
上下アーム回路に並列接続されたコンデンサ（Ｃ１）と、
上下アーム回路を構成する上アーム（１０Ｕ）及びコンデンサの正極端子を接続する上配線（１１Ｐａ）と、
上下アーム回路を構成する下アーム（１０Ｌ）及びコンデンサの負極端子を接続する下配線（１１Ｎａ）と、
電力ラインに接続される電力配線であって、電力ラインのうち高電位側のライン及び上配線を接続する上電力配線（１１Ｐ）、及び、電力ラインのうち低電位側のライン及び下配線を接続する下電力配線（１１Ｎ）と、
上アームが有する主端子（７０Ｅ）及び下アームが有する主端子（７０Ｃ）を接続する出力配線（１５０）と、
を備え、
出力配線は、上配線及び下配線の少なくとも一方と対向する対向部（１５４ｐ、１５４ｎ）を有する。
【手続補正３】
【補正対象書類名】明細書
【補正対象項目名】００１２
【補正方法】変更
【補正の内容】
【００１２】
本開示の他のひとつである電力変換装置は、
複数の上下アーム回路（１０）が並列接続された電力ライン（１２、１３）と、
各相それぞれに設けられた上記パワーモジュールと、
を備え、
各相のうち第１相に設けられたパワーモジュールを第１パワーモジュールとし、
各相のうち第２相に設けられたパワーモジュールを第２パワーモジュールとし、
第１パワーモジュールにおける、正極端子から上アームまでの電気経路のインピーダンスを相内上インピーダンスとし、
第１パワーモジュールに係る正極端子から、第２パワーモジュールに係る上アームまでの電気経路のインピーダンスを相間上インピーダンスとし、
相間上インピーダンスが相内上インピーダンスより大きい。